【手続補正書】
【提出日】平成18年5月12日(2006.5.12)
【手続補正１】
【補正対象書類名】明細書
【補正対象項目名】発明の名称
【補正方法】変更
【補正の内容】
【発明の名称】パッシブマトリクス型発光装置および電子機器
【手続補正２】
【補正対象書類名】明細書
【補正対象項目名】特許請求の範囲
【補正方法】変更
【補正の内容】
【特許請求の範囲】
【請求項１】
自発光素子を有する複数の画素を含む画素部と、
前記複数の画素の累積点灯時間を検出する検出手段と、
前記累積点灯時間を記憶する記憶手段と、
前記記憶された累積点灯時間に応じて映像信号を補正する補正手段とを有し、
前記画素部は、前記補正された映像信号を用いて映像を表示することを特徴とするパッシブマトリクス型発光装置。
【請求項２】
自発光素子を有する複数の画素を含む画素部と、
前記複数の画素の累積点灯時間と点灯強度とを検出する検出手段と、
前記累積点灯時間と点灯強度とを記憶する記憶手段と、
前記記憶された累積点灯時間と点灯強度とに応じて映像信号を補正する補正手段とを有し、
前記画素部は、前記補正された映像信号を用いて映像を表示することを特徴とするパッシブマトリクス型発光装置。
【請求項３】
自発光素子を有する複数の画素を含む画素部と、
第１の映像信号をサンプリングし、前記サンプリングした第１の映像信号を用いて前記複数の画素の自発光素子の点灯時間を検出するカウンタ部を有する検出手段と、
前記カウンタ部によって検出された前記複数の画素の自発光素子の点灯時間を、累積して記憶する記憶手段と、
前記記憶手段に累積して記憶された、前記複数の画素の自発光素子の累積点灯時間に応じて前記第１の映像信号の補正を行い、第２の映像信号を出力する信号補正部を有する補正手段とを有し、
前記画素部は、前記第２の映像信号を用いて映像を表示することを特徴とするパッシブマトリクス型発光装置。
【請求項４】
自発光素子を有する複数の画素を含む画素部と、
第１の映像信号をサンプリングし、前記サンプリングした第１の映像信号を用いて前記複数の画素の自発光素子の点灯時間と点灯強度とを、検出するカウンタ部を有する検出手段と、
前記カウンタ部によって検出された前記複数の画素の自発光素子の点灯時間と点灯強度とを、累積して記憶する記憶手段と、
前記記憶手段に累積して記憶された、前記複数の画素の自発光素子の累積点灯時間と点灯強度とに応じて前記第１の映像信号の補正を行い、第２の映像信号を出力する信号補正部を有する補正手段とを有し、
前記画素部は、前記第２の映像信号を用いて映像を表示することを特徴とするパッシブマトリクス型発光装置。
【請求項５】
請求項１又は２において、
前記補正された映像信号をアナログ映像信号に変換する回路を有し、前記画素部は前記アナログ映像信号を用いて映像を表示することを特徴とするパッシブマトリクス型発光装置。
【請求項６】
請求項３又は４において、
前記第２の映像信号をアナログ映像信号に変換する回路を有し、前記画素部は前記アナログ映像信号を用いて映像を表示することを特徴とするパッシブマトリクス型発光装置。
【請求項７】
請求項１乃至請求項６のいずれか１項に記載のパッシブマトリクス型発光装置において、
ｎビット（ｎは自然数、ｎ≧２）階調の表示を行う発光装置は、ｎ＋ｍビット（ｍは自然数）の信号処理を行う駆動回路を有し、
劣化の生じていない自発光素子を有する画素に書き込まれる映像信号は、ｎビットの映像信号によって階調の表示を行い、
劣化の生じた自発光素子を有する画素に書き込まれる映像信号には、ｎ＋ｍビットの映像信号を用いて階調の加算処理を行うことによって、
前記劣化の生じていない自発光素子と、前記劣化の生じた自発光素子との間で等しい輝度を得ることを特徴とするパッシブマトリクス型発光装置。
【請求項８】
請求項１乃至請求項６のいずれか１項に記載のパッシブマトリクス型発光装置において、
前記補正手段は、劣化の生じた自発光素子を有する画素に書き込まれる映像信号には、劣化の生じていない自発光素子を有する画素に書き込まれる映像信号に対し、相対的に加算処理を行うことを特徴とするパッシブマトリクス型発光装置。
【請求項９】
請求項１乃至請求項６のいずれか１項に記載のパッシブマトリクス型発光装置において、
前記補正手段は、表示範囲内において、劣化の小さい自発光素子を有する画素あるいは劣化を生じていない自発光素子を有する画素に書き込まれる映像信号には、最も劣化の大きい自発光素子を有する画素に書き込まれる映像信号に対し、相対的に減算処理を行うことを特徴とするパッシブマトリクス型発光装置。
【請求項１０】
請求項１乃至請求項９のいずれか一項に記載のパッシブマトリクス型発光装置において、
前記画素部は、カラム信号線およびロウ信号線を有することを特徴とするパッシブマトリクス型発光装置。
【請求項１１】
請求項１０に記載のパッシブマトリクス型発光装置において、
前記自発光素子は、前記カラム信号線および前記ロウ信号線の間に有機ＥＬ材料を有することを特徴とするパッシブマトリクス型発光装置。
【請求項１２】
請求項１乃至請求項４のいずれか一項に記載のパッシブマトリクス型発光装置において、
前記発光装置は、定電流源およびスイッチを有し、
前記自発光素子に流れる電流量は、前記定電流源の電流量および前記スイッチのオンになっている時間によって制御されることを特徴とするパッシブマトリクス型発光装置。
【請求項１３】
請求項１乃至請求項１１のいずれか一項に記載のパッシブマトリクス型発光装置において、
前記発光装置は、可変電流源およびスイッチを有し、
前記自発光素子に流れる電流量は、前記可変電流源の電流量によって制御されることを特徴とするパッシブマトリクス型発光装置。
【請求項１４】
請求項１乃至請求項１３のいずれか１項に記載のパッシブマトリクス型発光装置において、
前記記憶手段はスタティック型記憶回路を有することを特徴とするパッシブマトリクス型発光装置。
【請求項１５】
請求項１乃至請求項１４のいずれか１項に記載のパッシブマトリクス型発光装置において、
前記記憶手段はダイナミック型記憶回路を有することを特徴とするパッシブマトリクス型発光装置。
【請求項１６】
請求項１乃至請求項１５のいずれか１項に記載のパッシブマトリクス型発光装置において、
前記記憶手段は強誘電体記憶回路を有することを特徴とするパッシブマトリクス型発光装置。
【請求項１７】
請求項１乃至請求項１６のいずれか１項に記載のパッシブマトリクス型発光装置において、
前記検出手段と、前記記憶手段と、前記補正手段とは、前記画素部と異なる基板上に実装される回路によって構成されることを特徴とするパッシブマトリクス型発光装置。
【請求項１８】
請求項１乃至請求項１７のいずれか１項に記載のパッシブマトリクス型発光装置において、
前記検出手段と、前記記憶手段と、前記補正手段とは、前記画素部と同一の絶縁体上に実装されることを特徴とするパッシブマトリクス型発光装置。
【請求項１９】
請求項１乃至請求項１８のいずれか１項に記載のパッシブマトリクス型発光装置を用いることを特徴とする電子機器。
【手続補正３】
【補正対象書類名】明細書
【補正対象項目名】００３８
【補正方法】変更
【補正の内容】
【００３８】
上記本発明のパッシブマトリクス型発光装置において、前記記憶手段は強誘電体記憶回路（ＦｅＲＡＭ）を有することを特徴としている。
【手続補正４】
【補正対象書類名】明細書
【補正対象項目名】００５０
【補正方法】変更
【補正の内容】
【００５０】
また、揮発性メモリとしては、スタティック型メモリ（ＳＲＡＭ）、ダイナミック型メモリ（ＤＲＡＭ）、強誘電体メモリ（ＦｅＲＡＭ）等が挙げられるが、本発明はこれらを限定することはなく、いずれの型式のメモリを用いて構成しても良い。同様に、不揮発性メモリに関しても、フラッシュメモリを始めとする、一般に用いられているものを用いて構成すれば良い。ただし、揮発性メモリにＤＲＡＭを用いる場合には、定期的なリフレッシュ機能を付加する必要がある。